【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
データの送信前に第二端末に媒体利用期間に関する情報を含む送信要求信号を送信し、前記第二端末からの送信許可信号を受信し、前記媒体利用期間に前記第二端末に前記データを送信する第一端末と、
前記送信要求信号を受信し、前記送信許可信号を送信する第二端末と、
前記送信要求信号を受信し、前記媒体利用期間に第四端末にデータを送信する第三端末と、
前記第四端末と、を有する無線ネットワークシステムであって、
前記第三端末が前記送信許可信号を受信できない場合、前記第三端末は前記第四端末が存在する領域を確認し、前記第四端末が前記第一端末及び前記第二端末の信号到達範囲外の領域に存在する事を確認できた場合にのみ送信し、
前記の条件を満たさない領域に存在する場合は送信しない
無線ネットワークシステム。
【請求項２】
前記第三端末は、前記送信許可信号を受信できない領域に存在する請求項１記載の無線ネットワークシステム。
【請求項３】
前記第三端末は、前記媒体利用期間に前記データを送信し終わる請求項１または請求項２記載の無線ネットワークシステム。
【請求項４】
前記第三端末は、前記第二端末が前記第一端末に受信成功確認信号を送信する期間を避けて、前記データを送信する請求項１乃至請求項３のいずれかに記載の無線ネットワークシステム。
【請求項５】
前記第三端末は、前記第四端末が前記第一端末及び前記第二端末の信号到達範囲外にあることを確認して、前記データを送信する請求項１乃至請求項４のいずれかに記載の無線ネットワークシステム。
【請求項６】
前記第三端末は、前記第四端末における隣接端末からの信号の受信状況と前記隣接端末のアドレスとの関係表を有し、
前記第三端末は、前記第四端末が前記第一端末及び前記第二端末の信号到達範囲外である
ことを、前記関係表を用いて確認する請求項５記載の無線ネットワークシステム。
【請求項７】
前記第三端末は、前記データを送信する前に前記関係表を隣接端末から入手する請求項６記載の無線ネットワークシステム。
【請求項８】
前記隣接端末からの信号の受信状況は、前記隣接端末からの信号の受信電力を示すものである請求項６又は請求項７記載の無線ネットワークシステム。
【請求項９】
前記隣接端末からの信号の受信状況は、前記隣接端末からの信号の信号品質を示すものである請求項６又は請求項７記載の無線ネットワークシステム。
【請求項１０】
前記隣接端末からの信号の信号品質は、前記隣接端末からの信号の軟判定尤度を算出し、誤り訂正し、エラーがなかった場合の前記軟判定尤度を平滑化して求めたものである請求項９記載の無線ネットワークシステム。
【請求項１１】
前記隣接端末からの信号の信号品質は、前記隣接端末からの信号より求めた値の平均値である請求項９又は請求項１０記載の無線ネットワークシステム。
【請求項１２】
前記第三端末は、前記第四端末に前記データを送信する前に、前記第四端末に送信要求信号を送信し、
前記第四端末は、前記第三端末からの前記送信要求信号を受信し、前記第三端末に送信許可信号を送信する
請求項１乃至請求項１１のいずれかに記載の無線ネットワークシステム。
【請求項１３】
前記第三端末は、前記第一端末が送信する前記データの信号品質を任意の期間観測し、前記任意の期間の前記データの信号品質の変化量が所定値以下の場合に、前記第四端末に前記データを送信する請求項１乃至請求項１２のいずれかに記載の無線ネットワークシステム。
【請求項１４】
前記第三端末は、前記第二端末が送信する前記送信許可信号の信号品質を観測し、前記送信許可信号の信号品質に応じて、前記第四端末に前記データを送信する場合の送信電力を変化させる請求項１乃至請求項１３のいずれかに記載の無線ネットワークシステム。
【請求項１５】
前記送信電力に応じて、変調多値数又は符号化率を変化させる請求項１４記載の無線ネットワークシステム。
【請求項１６】
第一端末が第二端末に媒体利用期間に関する情報を含む送信要求信号を送信するステップと、
前記第二端末が前記送信要求信号を受信し、前記第一端末に送信許可信号を送信するステップと、
前記第一端末が前記送信許可信号を受信し、前記媒体利用期間に前記第二端末にデータを送信するステップと、
前記第二端末の信号到達範囲外にある第三端末が前記第一端末からの前記送信要求信号を受信し、前記媒体利用期間に前記第一端末及び第二端末の信号到達範囲外にある第四端末にデータを送信するステップと、
前記第三端末が前記送信許可信号を受信できない場合、前記第三端末は前記第四端末が存在する領域を確認し、前記第四端末が前記第一端末及び前記第二端末の信号到達範囲外の領域に存在する事を確認できた場合にのみ送信し、前記の条件を満たさない領域に存在する場合は送信しないステップと、
を有する無線通信方法。
【請求項１７】
無線信号を受信するアンテナと、
前記無線信号をベースバンド信号に変換する無線部と、
前記ベースバンド信号をアナログからデジタルへ変換し、復調し、受信データとして出力するベースバンド処理部と、
前記ベースバンド処理部を制御するとともに、前記受信データのパケットを識別するＭＡＣ部と、
前記パケットの受信の起動を行う制御部と、
前記無線信号を受信していない場合に、前記アンテナまたは前記無線部または前記ベースバンド部で検出される他の信号の受信状況と、前記ＭＡＣ部で検出される前記他の信号を送信した端末のアドレスとの関係を前記制御部に入力する受信状況−アドレス解析部と、前記制御部により前記関係が記載される隣接局関係表記憶部と、を備えた無線通信装置。
【手続補正２】
【補正対象書類名】明細書
【補正対象項目名】００１２
【補正方法】変更
【補正の内容】
【００１２】
前記従来の課題を解決するために、本発明の無線ネットワークシステムは、データの送信前に第二端末に媒体利用期間に関する情報を含む送信要求信号を送信し、第二端末からの送信許可信号を受信し、媒体利用期間に第二端末にデータを送信する第一端末と、送信要求信号を受信し、送信許可信号を送信する第二端末と、送信要求信号を受信し、媒体利用期間に第四端末にデータを送信する第三端末と、第四端末と、を有し、第三端末が前記送信許可信号を受信できない場合、第三端末は第四端末が存在する領域を確認し、第四端末が第一端末及び第二端末の信号到達範囲外の領域に存在する事を確認できた場合にのみ送信し、前記の条件を満たさない領域に存在する場合は送信しないものとする。
【手続補正３】
【補正対象書類名】明細書
【補正対象項目名】００４２
【補正方法】変更
【補正の内容】
【００４２】
本発明の無線通信方法は、第一端末が第二端末に媒体利用期間に関する情報を含む送信要求信号を送信するステップと、第二端末が送信要求信号を受信し、第一端末に送信許可信号を送信するステップと、第一端末が送信許可信号を受信し、媒体利用期間に第二端末にデータを送信するステップと、第二端末の信号到達範囲外にある第三端末が第一端末からの送信要求信号を受信し、媒体利用期間に第一端末及び第二端末の信号到達範囲外にある第四端末にデータを送信するステップと、前記第三端末が前記送信許可信号を受信できない場合、前記第三端末は前記第四端末が存在する領域を確認し、前記第四端末が前記第一端末及び前記第二端末の信号到達範囲外の領域に存在する事を確認できた場合にのみ送信し、前記の条件を満たさない領域に存在する場合は送信しないステップと、を有する。